(57)【特許請求の範囲】
【請求項１】
無線ネットワークカードに接続される装置により、前記無線ネットワークカードの中の汎用集積回路カードの情報を管理するための方法であって、前記汎用集積回路カードは受信されるショートメッセージを格納し、
汎用集積回路カードUICCの集積回路カード識別情報ICCIDを取得して、前記ICCIDに対応する前記装置内のデータベースを特定するステップと、
前記UICCの情報を取得し、前記ICCIDに対応する前記データベースに前記UICCの前記情報を格納して更新するステップと
を含み、
前記無線ネットワークカードから新しいショートメッセージの受信が報告されると、前記新しいショートメッセージを前記データベースに格納する、方法。
【請求項２】
前記ICCIDに対応する前記データベースを特定する前記ステップの後に、前記ICCIDに対応する前記データベースの中の前記UICCの前記情報を表示するステップと、
前記UICCの前記情報を前記ICCIDに対応する前記データベースに格納して更新する前記ステップの後に、前記ICCIDに対応する前記データベースの中の前記UICCの格納されて更新された情報を表示するステップと
をさらに含む、請求項1に記載の方法。
【請求項３】
前記UICCの中の情報が削除された場合、前記ICCIDに対応する前記データベースの中の前記UICCの前記情報を前記UICCにコピーして格納するステップ
をさらに含む、請求項1に記載の方法。
【請求項４】
前記UICCの前記情報が、
前記UICC自体によって格納された情報および前記UICCと関連する情報のうちの少なくとも1つ
を含む、請求項1に記載の方法。
【請求項５】
前記UICCの前記ICCIDを取得する前記ステップの後に、
前記ICCIDには対応するデータベースがないと判断される場合、前記ICCID用の対応するデータベースを確立するステップ
をさらに含む、請求項1に記載の方法。
【請求項６】
無線ネットワークカードの中の汎用集積回路カードの情報を管理するための、前記無線ネットワークカードに接続される装置であって、前記汎用集積回路カードは受信されるショートメッセージを格納し、
汎用集積回路カードUICCの集積回路カード識別情報ICCIDを取得し、また前記UICCの情報を取得するように構成された取得ユニットと、
前記ICCIDには対応する前記装置内のデータベースがあるかどうかを判定するように構成された判定ユニットと、
前記判定ユニットが前記ICCIDには前記対応するデータベースがあると判定する場合、前記ICCIDに対応する前記データベースに前記取得ユニットによって取得された前記UICCの前記情報を格納して更新するように構成された管理ユニットと
を備え、
前記管理ユニットが、前記無線ネットワークカードから新しいショートメッセージの受信が報告されると、前記新しいショートメッセージを前記データベースに格納するように構成された装置。
【請求項７】
前記判定ユニットが、前記ICCIDに対応する前記データベースを判定した後に、前記ICCIDに対応する前記データベースの中の前記UICCの前記情報を表示するように構成され、さらに前記管理ユニットが、前記ICCIDに対応する前記データベースに前記UICCの情報を格納して更新した後に、前記ICCIDに対応する前記データベースの中の前記UICCの前記格納されて更新された情報を表示するように構成された表示ユニット
をさらに備える、請求項6に記載の装置。
【請求項８】
前記判定ユニットが、前記ICCIDに対応する前記データベースを判定した後に、前記UICCの中の情報が削除された場合、前記ICCIDに対応する前記データベースの中の前記UICCの前記情報を前記UICCにおいてコピーして格納するように構成されたコピーユニット
をさらに備える、請求項6に記載の装置。
【請求項９】
前記取得ユニットによって取得された前記UICCの前記情報が、
前記UICC自体によって格納された情報および前記UICCと関連する情報のうちの少なくとも1つ
を含む、請求項6に記載の装置。
【請求項１０】
前記判定ユニットが前記ICCIDには対応するデータベースがないと判定する場合、前記ICCID用の対応するデータベースを確立するように構成された確立ユニット
をさらに備える、請求項6に記載の装置。
【発明の詳細な説明】
【技術分野】
【０００１】
本発明は、情報管理技術の分野に関し、詳細には、汎用集積回路カードの情報を管理するための方法および装置に関する。
【背景技術】
【０００２】
UICC (Universal Integrated Circuit Card、汎用集積回路カード)およびPC(Personal Computer、パーソナルコンピュータ)のような装置が接続された後、PCはUICC上の情報を取得して、この情報をPCに置くことができ、UICC上の情報は削除することができる。
【０００３】
しかしながら、複数のUICCの場合、PCは異なるUICCを区別せずに、異なるUICC上のすべての情報をデータベースに保存し、したがってユーザがPC上の情報を見るとき、情報がどのUICCのものであるかを判断するのは困難であり、異なるUICCの情報に管理操作を行うことはできない。
【発明の概要】
【発明が解決しようとする課題】
【０００４】
本発明の目的は、汎用集積回路カードの情報を管理し、それによって、異なる汎用集積回路カードを区別して情報を管理するための方法および装置を提供することである。
【課題を解決するための手段】
【０００５】
本発明の目的は、次の技術的解決法によって達成される。
【０００６】
汎用集積回路カードの情報を管理するための方法は、
汎用集積回路カードUICCの集積回路カード識別情報ICCIDを取得して、このICCIDに対応するデータベースを特定するステップと、
UICCの情報を取得し、ICCIDに対応するデータベースにUICCの情報を格納して更新するステップと
を含む。
【０００７】
汎用集積回路カードの情報を管理するための装置は、
汎用集積回路カードUICCの集積回路カード識別情報ICCIDを取得し、このUICCの情報を取得するように構成された取得ユニットと、
ICCIDには対応するデータベースがあるかどうかを判定するように構成された判定ユニットと、
判定ユニットがICCIDには対応するデータベースがあると判定する場合、ICCIDに対応するデータベースに取得ユニットによって取得されたUICCの情報を格納して更新するように構成された管理ユニットと
を含む。
【０００８】
異なる汎用集積回路カードの情報を好都合に管理するために、UICCのICCIDに従って、異なるUICCの情報が異なるデータベースに保存されることを、本発明によって提供される技術的解決法から理解することができる。
【図面の簡単な説明】
【０００９】
【図１】本発明の一実施形態により汎用集積回路カードの情報を管理するための方法の概略図である。
【図２】本発明の一実施形態により汎用集積回路カードの情報を管理するための装置の第1の概略構造図である。
【図３】本発明の一実施形態により汎用集積回路カードの情報を管理するための装置の第2の概略構造図である。
【図４】本発明の一実施形態により汎用集積回路カードの情報を管理するための方法の応用シナリオの概略図である。
【発明を実施するための形態】
【００１０】
本発明の実施形態について、添付の図面を参照して以下にさらに詳細に説明する。
【００１１】
図1に示すように、本発明の一実施形態は、次のステップを含む、汎用集積回路カードの情報を管理するための方法を提供する:
【００１２】
11:UICC(Universal Integrated Circuit Card、汎用集積回路カード)のICCID(Integrate circuit card identity、集積回路カード識別情報)を取得し、このICCIDに対応するデータベースを特定する。
【００１３】
12:UICCの情報を取得し、ICCIDに対応するデータベースにUICCの情報を格納して更新する。
【００１４】
本発明の実施形態の汎用集積回路カードの情報を管理するための方法の実行対象物(executive subject)は、PC(Personal Computer、パーソナルコンピュータ)を含むことができる。
【００１５】
UICCは、通常、無線ネットワークカード(すなわち、データカード)、またはカードリーダ、または携帯電話のような移動端末を介してPCのような装置に接続することができ、UICCは一意の識別情報ICCIDを有し、このICCIDによって異なるUICCを区別することができる。
【００１６】
UICCは、SIM(Subscriber Identity Module、加入者識別モジュール)カード、またはUSIM(Universal Subscriber Identity Module、汎用加入者識別モジュール)カード、またはUIM(User Identity Module、ユーザ識別モジュール)カードなどを含むことができる。
【００１７】
無線ネットワークカードまたは携帯電話のような移動端末は、PCのような装置に接続されて、2G(2nd-Generation、第2世代移動通信)、または3G(3rd-Generation、第3世代移動通信)、またはLTE(Long Term Evolution、ロングタームエボリューション)のような無線通信を実現することができる。
【００１８】
PCのような装置にバックグラウンドソフトウェアまたはバックグラウンドモジュールをインストールすることができ、UICCの情報は、プロトコルによって定められたインタフェースコマンドによって読み取られ、PCのような装置に保存される。例えばPCは、ATコマンド(ATention Command)によって無線ネットワークカードに命令を配信し、UICCの情報を読み取る。
【００１９】
さらに、PCのような装置は、プロトコルによって定められたインタフェースコマンドによってUICCのICCIDを読み取ることができる。例えばPCは、ATコマンドによって無線ネットワークカードに命令を配信し、UICCのICCIDを読み取る。
【００２０】
本発明によって提供される技術的解決法から、UICCのICCIDに従って異なるUICCに格納された情報は異なるデータベースに保存され、インデックスとしてのICCIDによって、UICCとUICCの情報を格納するデータベースとの間の関連付けが行われることがわかる。ユーザがUICCの情報を見るとき、異なる汎用集積回路カードの情報を好都合に管理するために、UICCの情報がどのUICCに属するかを判断することが非常に容易である。
【００２１】
あるいは、本発明のこの実施形態の汎用集積回路カードの情報を管理するための方法では、UICCの情報は、UICC自体に格納された情報、およびUICCと関連する情報のうちの少なくとも1つを含むことができる。
【００２２】
あるいは具体的には、UICC自体に格納された情報は、ショートメッセージ、および電話帳のような情報を含むことができる。
【００２３】
UICCと関連する情報は、ネットワーク検索設定情報のようなUICCと関連するユーザ設定情報、ダイアルアップアクセス制御情報、およびUICCによって使用されるネットワークトラフィックなどの情報を含むことができる。
【００２４】
本発明のこの実施形態における汎用集積回路カードの情報を管理するための方法は、UICC自体によって格納された情報を管理するだけでなく、UICCと関連する様々な情報を管理することもできることがわかる。
【００２５】
あるいは、ステップ11でUICCのICCIDが取得された後に、本発明のこの実施形態における汎用集積回路カードの情報を管理するための方法は、
ICCIDに対応するデータベースがないと判定される場合、ICCID用の対応するデータベースを確立すること
もまた含むことができる。
【００２６】
UICCのICCIDが取得された後に、ICCIDに従ってデータベースに問い合わせを行って、ICCIDに対応するデータベースがあるかどうかを判定することができることがわかる。新しいUICCに関しては、新しいUICCのICCIDには、UICCの情報を関連付けて格納するデータベースがない、すなわち、このICCIDに対応するデータベースが存在しないので、新しいUICCのICCID用に対応するデータベースが確立され、新しいUICCが新しいUICCのICCIDによってデータベースとの関連付けを実行する。
【００２７】
さらに、ステップ11でICCIDに対応するデータベースが特定された後に、本発明のこの実施形態において汎用集積回路カードの情報を管理するための方法は、
ICCIDに対応するデータベースにUICCの情報を表示すること
もまた含むことができる。
【００２８】
ICCIDに対応するデータベースを特定した後に、ICCIDに対応するデータベースの中のUICCの情報を表示して、閲覧および管理のようなユーザの動作を容易にすることができることを理解できる。さらに、ここではICCIDに対応するデータベースの中のUICCの情報のみが表示されることは、UICCの他の情報が公表されないことを意味し、それによってUICCの情報のプライバシーを保証する。
【００２９】
さらに、ステップ12においてUICCの情報がICCIDに対応するデータベースに格納されて更新された後、本発明のこの実施形態における汎用集積回路カードの情報を管理するための方法は、
ICCIDに対応するデータベースの中のUICCの、格納されて、更新された情報を表示すること
もまた含むことができる。
【００３０】
UICCの情報がICCIDに対応するデータベースに格納されて更新された後に、ICCIDに対応するデータベースの中のUICCの、格納されて、更新された情報は表示され、閲覧および管理のようなユーザの動作を容易にすることがわかる。さらに、ICCIDに対応するデータベースの中のUICCの情報のみを表示することは、UICCの他の情報は公表されないことを意味し、それによってUICCの情報のプライバシーを保護する。
【００３１】
あるいは、本発明のこの実施形態における汎用集積回路カードの情報を管理するための方法は、
ICCIDに対応するデータベースの中のUICCの情報をUICCにコピーして格納すること
もまた含むことができる。
【００３２】
詳細には、ICCIDに対応するデータベースが特定された後に、ICCIDに対応するデータベースの中のUICCの情報が、UICCにコピーされて格納されることが可能であるだけでなく、UICCの情報がICCIDに対応するデータベースに格納されて更新された後に、ICCIDに対応するデータベースの中のUICCの情報が、UICCにコピーされて格納されることが可能である。
【００３３】
例示的には、UICC上の情報は削除される場合があるので、UICCのICCIDに対応するデータベースの中のUICCの情報は、UICCにコピーされて格納され、UICCの情報の同期を保証することが可能である。UICCがさらに他のPCに接続される場合、UICCの情報はさらに他のPCに格納されることが可能である。
【００３４】
異なるUICCの情報を管理するために、UICCの情報がUICCのICCIDに対応するデータベースに格納されて更新されることが可能であるだけでなく、ICCIDに対応するデータベースの中のUICCの情報も、UICCに好都合に同期(コピーおよび格納)されることが可能であることを理解することができる。このように、UICCに格納された情報が削除された後に、ICCIDに対応するデータベースの中のUICCの情報は依然として、ICCIDに対応するデータベースを介してUICCにコピーされて格納されることが可能である。
【００３５】
図2に示すように、記載する実施形態における汎用集積回路カードの情報を管理するための上述の方法に対応して、本発明の一実施形態は、汎用集積回路カードの情報を管理するための装置を提供し、この装置は、
UICCのICCIDを取得する、およびUICCの情報を取得するように構成された取得ユニット21と、
ICCIDには対応するデータベースがあるかどうかを判定するように構成された判定ユニット22と、
判定ユニット22がICCIDには対応するデータベースがあると判定する場合、ICCIDに対応するデータベースに取得ユニット21によって取得されたUICCの情報を格納および更新するように構成された管理ユニット23と
を含む。
【００３６】
本発明のこの実施形態における汎用集積回路カードの情報を管理するための装置は、バックグラウンドモジュールとすることができ、これは独立して設定されることが可能である、またはPCと一体化されることによって設定されることが可能である。
【００３７】
本発明によって提供される技術的解決法から、異なるUICCに格納された情報は、UICCのICCIDに従って異なるデータベースに保存され、UICCとこのUICCの情報を格納するデータベースとの間の関連付けはインデックスとしてのICCIDによって実行されることを理解することができる。ユーザがUICCの情報を見る場合、異なる汎用集積回路カードの情報を好都合に管理するために、UICCの情報がどのUICCに属するかを判断するのが非常に容易である。
【００３８】
あるいは、取得ユニット21によって取得されるUICCの情報は、UICC自体によって格納された情報、およびUICCと関連する情報のうちの少なくとも1つを含むことができる。
【００３９】
あるいは具体的には、UICC自体によって格納された情報は、ショートメッセージ、および電話帳のような情報を含むことができる。
【００４０】
UICCと関連する情報は、ネットワーク検索設定情報のようなUICCと関連するユーザ設定情報、およびダイアルアップアクセス制御情報、およびUICCによって使用されるネットワークトラフィックのような情報を含むことができる。
【００４１】
本発明のこの実施形態における汎用集積回路カードの情報を管理するための装置は、
ICCIDに対応するデータベースを格納するように構成された格納ユニット
をさらに含む。
【００４２】
あるいは図3に示すように、本発明のこの実施形態における汎用集積回路カードの情報を管理するための装置は、
判定ユニット22がICCIDには対応するデータベースがないと判定する場合、ICCID用の対応するデータベースを確立するように構成された確立ユニット31
もまた含むことができる。
【００４３】
あるいは本発明のこの実施形態における汎用集積回路カードの情報を管理するための装置は、
判定ユニット22が、ICCIDに対応するデータベースを特定した後に、ICCIDに対応するデータベースの中のUICCの情報を表示するように構成され、さらに管理ユニット23がICCIDに対応するデータベースにUICCの情報を格納して更新した後に、ICCIDに対応するデータベースの中の、格納されて更新されたUICCの情報を表示するように構成された、表示ユニット32
もまた含むことができる。
【００４４】
あるいは本発明のこの実施形態における汎用集積回路カードの情報を管理するための装置は、
UICCにおいて、ICCIDに対応するデータベースの中のUICCの情報をコピーして格納するように構成されたコピーユニット33
もまた含むことができる。
【００４５】
詳細には、ICCIDに対応するデータベースが特定された後に、ICCIDに対応するデータベースの中のUICCの情報が、UICCにコピーされて格納されることが可能であるだけでなく、UICCの情報がICCIDに対応するデータベースに格納されて更新された後に、ICCIDに対応するデータベースの中のUICCの情報が、UICCにコピーされて格納されることが可能である。
【００４６】
本発明のこの実施形態における汎用集積回路カードの情報を管理するための装置および装置の構成要素部分は、前述の実施形態の汎用集積回路カードの情報を管理するための方法の同様の内容を参照して理解することができるので、詳細について再びここで論じることはしない。
【００４７】
図4に示すように、無線ネットワークカードの中のSIMカードである汎用集積回路カードおよびPCにおけるバックグラウンドモジュールである汎用集積回路カードの情報を管理するための装置を例に取ることによって、次のステップを含む、本発明の一実施形態における汎用集積回路カードの情報を管理するための方法について説明する。
【００４８】
41:バックグラウンドモジュールは、無線ネットワークカードがPCに挿入されることを検出する。
【００４９】
無線ネットワークカードがPCに挿入される場合、バックグラウンドモジュールは挿入を検出することができる。ショートメッセージおよび電話帳のような情報は、無線ネットワークカードの中のSIMカードに格納される。
【００５０】
42:バックグラウンドモジュールは、SIMカードのICCIDを読み取る。
【００５１】
各SIMカードは一意のICCIDを有し、バックグラウンドモジュールは、SIMカードのICCIDを読み取る。
【００５２】
43:バックグラウンドモジュールは、ICCIDに従ってデータベースに問い合わせを行う。
【００５３】
バックグラウンドモジュールは、ICCIDに従ってデータベースに問い合わせを行う。データベースは、ICCIDに従って分類されたSIMカードの情報を格納し、すなわち同じSIMカードの情報は同じICCIDで格納され、SIMカードとSIMカードの情報を格納するデータベースとの間の関連付けは、インデックスとしてのICCIDによって行われ、バックグラウンドモジュールは、SIMカードの情報を格納し、ICCIDと関連付けられるデータベースを特定する。
【００５４】
44:バックグラウンドモジュールは、ICCIDと関連付けられたSIMカードの情報を表示する。
【００５５】
バックグラウンドモジュールは、データベースの中のSIMカードの情報を表示し、ユーザに情報を提供する。
【００５６】
ステップ43においてバックグラウンドモジュールが、ICCIDに従ってデータベースに問い合わせを行い、このステップにおいてICCIDに対応するデータベースが存在しない場合、このICCIDに対して、SIMカードの情報を格納するために使用されるデータベースが確立される。
【００５７】
45:バックグラウンドモジュールは、無線ネットワークカードによって報告される「新しいショートメッセージを受信する」を受信する。
【００５８】
無線ネットワークカードは、SIMカードに格納された新しいショートメッセージを受信し、無線ネットワークカードは、バックグラウンドモジュールに「新しいショートメッセージを受信する」を報告する。
【００５９】
46:バックグラウンドモジュールは、新しいショートメッセージに従ってデータベースを更新する。
【００６０】
バックグラウンドモジュールは、ICCIDに対応するデータベースに新しいショートメッセージを格納する、すなわち、SIMカードの格納された情報を更新する。
【００６１】
47:バックグラウンドモジュールは、ICCIDと関連付けられたSIMカードの情報を更新して表示する。
【００６２】
バックグラウンドモジュールは、ICCIDと関連付けられたSIMカードの情報を更新して表示し、ユーザに情報を提供する。
【００６３】
ステップ47の後、本発明のこの実施形態における汎用集積回路カードの情報を管理するための方法はまた、次のステップを含むことができる:
【００６４】
バックグラウンドモジュールは、データベースに格納されたSIMカードの情報をSIMカードの中にコピーして格納し、情報の同期を実行する。
【００６５】
本発明のこの実施形態における汎用集積回路カードの情報を管理するための方法では、同じSIMカードの情報は、同じICCIDに格納される。SIMカードの情報は、異なるSIMカードの情報を管理するためにICCIDに対応するデータベースに格納されて更新されることが可能であるだけでなく、ICCIDに対応するデータベースの中のSIMカードの情報は、SIMカードに適宜同期されることもまた可能である。
【００６６】
本発明のこの実施形態における汎用集積回路カードの情報を管理するための方法は、異なるSIMカードの電話帳情報およびショートメッセージの下書き情報(draft information)の管理などにも適用できる。
【００６７】
例示的には、本発明のこの実施形態における汎用集積回路カードの情報を管理するための方法では、現在のユーザが2つのSIMカード、SIM_AおよびSIM_Bを有する場合、またSIM_Aが無線ネットワークカードに挿入されるために使用され、PCに接続される場合、バックグラウンドモジュールはまず、SIM_AのICCID_Aを取得し、次いでICCID_Aに従って情報データベースを確立し、ショートメッセージ、電話帳、ダイアルパラメータ、およびネットワーク検索設定パラメータなど他のデータカード情報のような、ICCID_Aインデックスのデータベースの中のSIM_Aと関連するデータを同期して記録する。
【００６８】
SIM_Aが取り出され、SIM_Bが使用されて無線ネットワークカードに挿入され、PCに接続される場合、バックグラウンドモジュールは、SIM_BのICCID_Bを読み取り、ICCID_Bにはデータベースの中に保存された情報がない場合、SIM_Bと関連する情報を格納するためにICCID_Bインデックスのデータベースが再形成される。
【００６９】
次に、SIM_Aが無線ネットワークカードに挿入されて再びPCに接続される場合、また、バックグラウンドがSIM_AからICCID_Aを読み取り、バックグラウンドにはすでにICCID_Aインデックスのデータベースがあることがわかる場合、ICCID_Aと関連するデータがリストアップされてユーザのために表示される。SIM_Aが使用されている場合、ユーザによって受信されるショートメッセージおよび作成された情報は、ともにICCID_Aインデックスのデータベースに保存される。あるいは、ユーザはICCID_Aインデックスのデータベースの中の関連データをSIM_Aに好都合にコピーし、よってSIMカードの情報同期の目的を達成する。
【００７０】
本発明によって提供される技術的解決法から、異なるUICCに格納された情報は、UICCのICCIDに従って異なるデータベースに格納されることと、ユーザがあるUICCの情報を見る場合、異なる汎用集積回路カードの情報を好都合に管理するために、そのUICCの情報がどのUICCに属するかを判断するのが非常に容易であることとを理解することができる。
【００７１】
本発明の諸実施形態による方法のプロセスの全部または一部は、関連ハードウェアを指示するプログラムによって実行されることが可能であることを、当業者は理解できるであろう。プログラムは、コンピュータ可読記憶媒体に格納することができる。プログラムが実行される場合、プログラムは実施形態による方法のプロセスを含むことができる。記憶媒体は、磁気ディスク、光ディスク、リードオンリメモリ(Read-Only Memory、ROM)、またはランダムアクセスメモリ(Random Access Memory、RAM)とすることができる。
【符号の説明】
【００７２】
21  取得ユニット
22  判定ユニット
23  管理ユニット
31  確立ユニット
32  表示ユニット
33  コピーユニット
【図１】
0005534380.tif 000002
【図２】
0005534380.tif 000003
【図３】
0005534380.tif 000004
【図４】
0005534380.tif 000005